(57)【特許請求の範囲】
【請求項１】
平板状の水晶片の両主面に、二つ一対の励振電極及び前記励振電極から前記水晶片の主面の縁部にまで延設されている二つ一対の配線パターンが設けられている水晶振動子と、
前記水晶片に接している面に対向する前記励振電極に設けられている感応膜と、
前記配線パターンに接触している二つ一対の固定部が直方体形状の基部の所定の一面から延設され、前記基部の所定の他の一面から二つ一対の脚部が前記固定部と反対方向に延設され、前記基部の所定の他の一面の縁部に沿って環状の鍔部が前記基部の所定の一面から前記基部の所定の他の一面に向かう向きに垂直となっている凸形状となるように設けられている保持具と、
直方体形状に形成され、前記所定の一面に前記基部が収納される基部収納空間が形成され、前記基部収納空間の底面に前記水晶振動素子と前記基部と前記固定部が収納される水晶振動素子収納空間が形成され、前記水晶振動素子収納空間内側を向く面から前記所定の他の一面まで貫通し、開口部が前記感応膜の形成されている前記励振電極と重なっている貫通孔が形成されている蓋部材と、
分子の大きさに応じて物質を分離することができる分子ふるい材料からなり、前記貫通孔に充填されている充填材と、
を備えていることを特徴とする微少質量測定用センサ素子。
【請求項２】
請求項１に記載の微少質量測定用センサ素子であって、前記充填材が、分子の大きさが水分子より小さい物質と分子の大きさが水分子以上の物質とに分離することができることを特徴とする微少質量測定用センサ素子。
【請求項３】
平板状の水晶片の両主面に、二つ一対の励振電極及び前記励振電極から前記水晶片の主面の縁部にまで延設されている二つ一対の配線パターンが設けられている水晶振動素子と、
前記水晶片に接している面に対向する前記励振電極に設けられている感応膜と、
前記配線パターンに接触している二つ一対の固定部が直方体形状の基部の所定の一面から延設され、前記基部の所定の他の一面から二つ一対の脚部が前記固定部と反対方向に延設され、前記基部の所定の他の一面の縁部に沿って環状の鍔部が前記基部の所定の一面から前記基部の所定の他の一面に向かう向きに垂直となっている凸形状となるように設けられている保持具と、
直方体形状に形成され、前記所定の一面に前記基部が収納される基部収納空間が形成され、前記基部収納空間の底面に前記水晶振動素子と前記基部と前記固定部が収納される水晶振動素子収納空間が形成され、前記水晶振動素子収納空間内側を向く面から前記所定の他の一面まで貫通し、開口部が前記感応膜の形成されている前記励振電極と重なっている貫通孔が形成され
ており、前記水晶振動素子が保持されている前記保持具ごと交換することができる蓋部材と、
所定の物質を吸着又は／及び吸収することができ、かつ、前記所定の物質を吸着又は／及び吸収した後、前記所定の物質を外部に放出することができる吸着材料からなり、前記貫通孔に充填されている吸着材と、
を備えていることを特徴とする微少質量測定用センサ素子。
【請求項４】
請求項３に記載の微少質量測定用センサ素子であって、前記吸着材が水分子を吸着することを特徴とする微少質量測定用センサ素子。
【発明の詳細な説明】
【技術分野】
【０００１】
本発明は、気相状態の検体から感応膜と反応する物質を検出する微少質量測定用センサ素子に関する。
【背景技術】
【０００２】
微少質量測定用センサ素子は、微少な量、例えば、１μｇを検出することができる水晶振動子微量天秤（Ｑｕａｒｔｚ  Ｃｒｙｓｔａｌ  Ｍｉｃｒｏｂａｌａｎｃｅ  Ｓｅｎｓｏｒ）に用いられている。
水晶振動子微量天秤で用いられる微少質量測定用センサ素子は、例えば、水晶振動素子と水晶振動素子の励振電極に設けられている感応膜とを備えている。
【０００３】
水晶振動素子は、例えば、水晶片と励振電極と配線パターンとから構成されている。
水晶片は、圧電材料である水晶部材が用いられ、例えば、両主面が円形形状の平板状となっている。
励振電極は、例えば、二つ一対となっており、一方の励振電極が水晶片の一方の主面に設けられ、他方の励振電極が水晶片の他方の主面に設けられている。このとき、一方の励振電極と他方の励振電極は、互いに対向する位置に設けられている。
配線パターンは、例えば、二つ一対となっており、一方の端部が励振電極に接続され、他方の端部が水晶片の主面の縁部に位置している。一方の配線パターンは、例えば、一方の端部が一方の励振電極に接続され、他方の端部が水晶片の一方の主面の縁部に位置している。他方の配線パターンは、例えば、一方の端部が他方の励振電極に接続され、他方の端部が水晶片の他方の主面の縁部に位置している。なお、二つ一対の配線パターンは、配線パターン間の配線容量による微少質量想定用センサ素子の検出精度及び検出感度の低下を避けるために、互いに向かい合わないように配置されている。
従って、水晶振動素子は、水晶片の両主面に設けられている励振電極が配線パターンに接続されている構造となっており、配線パターンの他方の端部と励振電極とが電気的に接続された構造となっている。
また、水晶振動素子は、水晶片の圧電効果及び逆圧電効果により、配線パターンの他方の端部に交番電圧が印加されると、励振電極で挟まれている水晶片の一部が所定の周波数で振動する特性を有している。
【０００４】
感応膜は、例えば、所定の物質と反応する性質を有している高分子脂質から構成されている。
また、感応膜は、水晶振動素子の励振電極に設けられている。
【０００５】
従って、感応膜が反応する所定の物質が含まれている雰囲気中に設けられた場合、微少質量測定用センサ素子は、所定の物質が水晶振動素子に設けられている感応膜と反応し感応膜に吸着する。
このため、微少質量測定用センサ素子は、所定の物質が感応膜と反応し感応膜に吸着すると所定の物質が吸着した分だけ水晶振動素子の周波数が変化する構造となっているので、水晶振動素子の水晶片が振動する周波数の変化量から感応膜に付着した所定の物質の重量を算出することができる構成となっている。
つまり、微少質量測定用センサ素子は、感応膜が反応し水晶振動素子の周波数の変化量から感応膜と反応する所定の物質を検出することができる構成となっている（例えば、特許文献１参照）。
【０００６】
このような微少質量測定用センサ素子は、例えば、水晶振動素子と保持具と蓋部材とから構成されており、取り扱い易くかつ測定直前まで感応膜にゴミなどが付着することを防ぐため、水晶振動素子が保持具に搭載されつつ蓋部材と保持具とで形成される空間内に水晶振動素子を封止している場合がある。
【０００７】
水晶振動素子は、前述した特許文献１で説明したように、水晶片と二つ一対の励振電極と二つ一対の配線パターンとから構成されており、水晶片の両主面に設けられている励振電極が配線パターンに接続されている構造となっており、配線パターンの他方の端部と励振電極とが電気的に接続された構造となっている。
また、水晶振動素子は、前述したように、水晶片の圧電効果及び逆圧電効果により、配線パターンの他方の端部に交番電圧が印加されると、励振電極で挟まれている水晶片の一部が所定の周波数で振動する特性を有している。
【０００８】
保持具は、例えば、基部と鍔部と二つ一対の固定部と二つ一対の脚部とから構成されている。
基部は、例えば、直方体形状に形成されている。
固定部は、例えば、二つ一対で設けられており、基部の所定の一つの面から二つ一対の固定部が同一方向に延設されている。また、固定部は、水晶振動素子の配線パターンと電気的に接続されている。
脚部は、例えば、基部の所定の他の一つの面から固定部と反対の方向に二つ一対の脚部が延設されている。また、脚部は、基部の内部配線を介して固定部と電気的に接続されている状態となっている。
鍔部は、例えば、基部の所定の他の一つの面の縁部に沿って環状に設けられている。このとき、鍔部は、基部の所定の一つの面から基部の所定の他の一つの面に向かう向きに垂直な方向に凸形状となっている。
従って、保持具は、固定部から脚部に向かう向きに見た場合、基部の所定の一つの面の縁部に沿って環状に鍔部が設けられた状態となっている。
【０００９】
蓋部材は、一方の主面に水晶振動素子収納空間を備えており、この水晶振動素子収納空間内に水晶振動素子と基部と固定部が収納されている。
また、蓋部材は、一方の主面の縁部が保持具の鍔部と圧接されて接合される。このとき、蓋部材と保持具とで形成される空間、つまり、水晶振動素子収納空間が気密封止される。
また、蓋部材は、この気密封止された状態を破壊し易くするために、厚みが薄くされた凹部が蓋部材の側面に設けられている。
【００１０】
このような微少質量測定用センサ素子は、微少質量測定用センサで用いる場合、蓋部材の厚みが薄くされた凹部を貫通する貫通孔を設け、この貫通孔が気相状態の検体を注入する構造となっている（例えば、特許文献２参照）。
【先行技術文献】
【特許文献】
【００１１】
【特許文献１】特開２００２−２４３６０８号公報
【特許文献２】特開２００７−２７１５６２号公報
【発明の概要】
【発明が解決しようとする課題】
【００１２】
しかしながら、従来の微少質量測定用センサ素子は、蓋部材と保持具とで形成された水晶振動素子収納空間内へ直接、気相状態である検体を注入する構造となっているので、感応膜と反応する物質であって分子量の異なる二つの物質が気相状態である検出材料に存在している場合、二つの物質が感応膜と反応してしまうことがある。
このため、従来の微少質量測定用センサ素子は、二つの物質をそれぞれ分けて検出することができない。
【００１３】
また、従来の微少質量測定用センサ素子は、水分子及び所定の物質が感応膜と反応する場合、蓋部材の凹部空間を貫通し貫通孔を形成した後、気相状態である検体を注入しているので、検体を注入するまでの間に、従来の微少質量測定用センサ素子が設けられている雰囲気中に存在する水分子と所定の物質とが感応膜と反応してしまい、所定の物質を検出する検出精度及び検出感度が低下する恐れがある。
【００１４】
そこで、本発明は、前述した課題を解決し、感応膜が反応する物質が二つ混在する場合、分子量に応じて反応する物質を分離させ分子量の小さい方の反応する物質を検出することができる微少質量測定用センサ素子を提供することを目的とする。
【課題を解決するための手段】
【００１５】
前記課題を解決するため、平板状の水晶片の両主面に、二つ一対の励振電極及び前記励振電極から前記水晶片の主面の縁部にまで延設されている二つ一対の配線パターンが設けられている水晶振動素子と、
前記水晶片に接している面に対向する前記励振電極に設けられている感応膜と、前記配線パターンに接触している二つ一対の固定部が直方体形状の基部の所定の一面から延設され、
前記基部の所定の他の一面から二つ一対の脚部が前記固定部と反対方向に延設され、前記基部の所定の他の一面の縁部に沿って環状の鍔部が前記基部の所定の一面から前記基部の所定の他の一面に向かう向きに垂直となっている凸形状となるように設けられている保持具と、
直方体形状に形成され、前記所定の一面に前記基部が収納される基部収納空間が形成され、前記基部収納空間の底面に前記水晶振動素子と前記基部と前記固定部が収納される水晶振動素子収納空間が形成され、
前記水晶振動素子収納空間内側を向く面から前記所定の他の一面まで貫通し、開口部が前記感応膜の形成されている前記励振電極と重なっている貫通孔が形成されている蓋部材と、分子の大きさに応じて物質を分離することができる分子ふるい材料からなり、前記貫通孔に充填されている充填材と、
を備えていることを特徴とする。
【００１６】
また、前記課題を解決するため、前記充填材が、分子の大きさが水分子より小さい物質と分子の大きさが水分子以上の物質とに分離することができることを特徴とする。
【００１７】
また、前記課題を解決するため、平板状の水晶片の両主面に、二つ一対の励振電極及び前記励振電極から前記水晶片の主面の縁部にまで延設されている二つ一対の配線パターンが設けられている水晶振動素子と、
前記水晶片に接している面に対向する前記励振電極に設けられている感応膜と、前記配線パターンに接触している二つ一対の固定部が直方体形状の基部の所定の一面から延設され、前記基部の所定の他の一面から二つ一対の脚部が前記固定部と反対方向に延設され、
前記基部の所定の他の一面の縁部に沿って環状の鍔部が前記基部の所定の一面から前記基部の所定の他の一面に向かう向きに垂直となっている凸形状となるように設けられている保持具と、直方体形状に形成され、前記所定の一面に前記基部が収納される基部収納空間が形成され、
前記基部収納空間の底面に前記水晶振動素子と前記基部と前記固定部が収納される水晶振動素子収納空間が形成され、前記水晶振動素子収納空間内側を向く面から前記所定の他の一面まで貫通し、開口部が前記感応膜の形成されている前記励振電極と重なっている貫通孔が形成されており、前記水晶振動素子が保持されている前記保持具ごと交換することができる蓋部材と、
所定の物質を吸着又は／及び吸収することができ、かつ、前記所定の物質を吸着又は／及び吸収した後、前記所定の物質を外部に放出することができる吸着材料からなり、前記貫通孔に充填されている吸着材と、を備えていることを特徴とする。
【００１８】
また、前記課題を解決するため、前記収着材が水分子を吸収することを特徴とする。
【発明の効果】
【００１９】
このような微少質量測定用センサ素子によれば、内部に水晶振動素子収納空間を有し、開口部が感応膜の形成されている励振電極と重なる位置となるように形成されている貫通孔が設けられている蓋部材と保持具とで水晶振動素子が水晶振動素子収納空間内に収納されており、
分子の大きさに応じて物質を分離することができる充填材が蓋部材に設けられている貫通孔に充填されているので、感応膜が所定の二つの物質に反応する場合であっても、分子の大きさに応じて物質を分離うることができる充填材を通過した気相状態の検体を水晶振動素子収納空間内に注入することができる。
このため、このような微少質量測定用センサ素子によれば、感応膜が所定の二つの物質に反応する場合であっても、分子の大きさが小さい方の物質のみを水晶振動素子に設けられている感応膜に反応させ、分子の大きさが小さい方の物質のみを検出することができる。
【００２０】
また、このような微少質量測定用センサ素子によれば、充填材によって分子の大きさが水分子より小さい物質と分子の大きさが水分子以上の物質とに分離させることができるので、気相状態の検体中に含まれる水分子及び微少質量想定用センサ素子が設けられている雰囲気中の水分子が水晶振動素子収納空間内に入ることを防ぐことができる。
このため、このような微少質量測定用センサ素子によれば、感応膜が水分子及び所定の物質に反応する場合、所定の物質のみを感応膜と反応させることができ、所定の物質のみを検出することができる。
従って、このような微少質量測定用センサ素子によれば、水分子が感応膜と反応することを防ぐことができるので、所定の物質を検出する検出精度及び検出感度を向上させることができる。
【００２１】
また、このような微少質量測定用センサ素子によれば、
内部に水晶振動素子収納空間を有し開口部が感応膜の形成されている励振電極と重なっている貫通孔が形成されている蓋部材と、保持具とで水晶振動素子が水晶振動素子収納空間内に収納されており、
所定の物質を吸着又は／及び吸収することができ、かつ、所定の物質を吸着又は／及び吸収した後所定の物質を外部に放出することができる吸着材が蓋部材に設けられている貫通孔に充填されているので、
感応膜が二つの物質に反応する場合であっても、一方の物質を吸着材に吸着させ他方の物質のみを水晶振動素子収納空間内に注入することができる。
このため、このような微少質量測定用センサ素子によれば、感応膜が所定の二つの物質に反応する場合であっても、
吸着材で吸着又は／及び吸収されない他方の物質のみを水晶振動素子に設けられている感応膜に反応させ、
吸着材で吸着又は／及び吸収されない他方の物質のみを検出することができる。
【００２２】
また、このような微少質量測定用センサ素子によれば、内部に水晶振動素子収納空間を有した蓋部材と保持具とで水晶振動素子が水晶振動素子収納空間内に収納されており、水分子を吸収する収着材が蓋部材に設けられている貫通孔に充填されているので、気相状態の検体中に含まれる水分子及び微少質量想定用センサ素子が設けられている雰囲気中の水分子が水晶振動素子収納空間内に入ることを防ぐことができる。
このため、このような微少質量測定用センサ素子によれば、感応膜が水分子及び所定の物質に反応する場合、所定の物質のみを感応膜と反応させることができ、所定の物質のみを検出することができる。
従って、このような微少質量測定用センサ素子によれば、水分子が感応膜と反応することを防ぐことができるので、所定の物質を検出する検出精度及び検出感度を向上させることができる。
【図面の簡単な説明】
【００２３】
【図１】本発明の実施形態に係る微少質量測定用センサ素子の一例を示す分解斜視図である。
【図２】（ａ）は、本発明の実施形態に係る微少質量測定用センサ素子の一例を示す平面図であり、（ｂ）は、本発明の実施形態に係る微少質量測定用センサ素子の一例を示す断面図である。
【図３】（ａ）は、本発明の実施形態に係る微少質量測定用センサ素子に用いられる水晶振動素子及び保持具の一例を示す平面図であり、（ｂ）は、本発明の実施形態に係る微少質量測定用センサ素子に用いられる水晶振動素子及び保持具の一例を示す断面図である。
【図４】（ａ）は、本発明の実施形態に係る微少質量測定用センサ素子に用いられる蓋部材の一例を示す平面図であり、（ｂ）は、本発明の実施形態に係る微少質量測定用センサ素子に用いられる蓋部材の一例を示す断面図である。
【発明を実施するための形態】
【００２４】
次に、本発明を実施するための最良の形態について説明する。なお、各図面において各構成要素の状態を分かりやすくするために誇張して図示している。
【００２５】
（第一の実施形態）
本発明の第一の実施形態に係る微少質量測定用センサ素子１００は、図１に示すように、水晶振動素子１１０と感応膜Ｒと保持具１２０と蓋部材１３０と充填材Ｊとから構成されている。
また、本発明の第一の実施形態に係る微少質量想定用センサ素子１００は、保持具１２０に保持されている感応膜Ｒが設けられている水晶振動素子１１０が蓋部材１３０に設けられている水晶振動素子収納空間１３１に収納されている。
このとき、蓋部材の外周面から蓋部材の水晶振動素子収納空間内側を向く面まで貫通する貫通孔が蓋部材１３０に設けられており、この貫通孔１３３（図４（ｂ）参照）に充填材Ｊが充填されている。
【００２６】
水晶振動素子１１０は、例えば、図３（ａ）及び図３（ｂ）に示すように、水晶片１１１と励振電極１１２と配線パターン１１３とから構成されている。
【００２７】
水晶片１１１は、例えば、図３（ａ）に示すように、両主面が円形形状となっており、圧電材料である水晶部材が用いられている。
【００２８】
励振電極１１２は、例えば、図３（ｂ）に示すように、二つ一対で設けられており、一方の励振電極１１２が水晶片１１１の一方の主面に設けられ、他方の励振電極１１２が水晶片１１１の他方の主面に設けられている。このとき、一方の励振電極１１２と他方の励振電極１１２とが対向する位置に設けられている。
【００２９】
配線パターン１１３は、例えば、二つ一対で設けられている。
また、配線パターン１１３は、図３（ａ）に示すように、一方の端部が励振電極１１２に接続されつつ他方の端部が水晶片１１１の主面の縁部に位置するように、励振電極１１２から水晶片１１１の主面の縁部まで延設されている。
一方の配線パターン１１３は、水晶片１１１の一方の主面に設けられており、一方の端部が一方の励振電極１１２に接続され、他方の端部が水晶片１１１の一方の主面の縁部に位置している。他方の配線パターン１１３は、水晶片１１１の他方の主面に設けられており、一方の端部が他方の励振電極１１３に接続され、他方の端部が水晶片１１１の他方の主面の縁部に位置している。このとき、一方の配線パターン１１３と他方の配線パターン１１３とは、両配線パターン１１３間で生じる容量による微少質量測定用センサ１００の検出感度の低下を避けるため、対向しない位置に設けられている。
【００３０】
従って、水晶振動素子１１０は、水晶片１１１の両主面に設けられている励振電極１１２が配線パターン１１３に接続されている構造となっており、配線パターン１１３の他方の端部と励振電極１１２とが電気的に接続された構造となっている。
また、水晶振動素子１１０は、水晶片１１１の圧電効果及び逆圧電効果により、配線パターン１１２の他方の端部に交番電圧が印加されると、励振電極１１２で挟まれている水晶片１１１の一部が所定の周波数で振動する特性を有している。
【００３１】
感応膜Ｒは、例えば、所定の２つの物質と反応する性質を有している高分子脂質から構成されている。
また、感応膜Ｒは、図１及び図２（ｂ）に示すように、水晶片１１１に接する面に対向する励振電極１１２の全面に設けられている。
【００３２】
保持具１２０は、例えば、図３（ａ）と図３（ｂ）に示すように、基部１２１と固定部１２２と脚部１２３と鍔部１２４とから構成されている。
【００３３】
基部１２１は、例えば、図３（ａ）及び図３（ｂ）に示すように、直方体形状に形成されている。
【００３４】
固定部１２２は、例えば、図３（ａ）に示すように、二つ一対となっており、基部１２１の所定の一つの面から同一方向に延設されている。
また、固定部１２２は、例えば、導電性接着剤（図示せず）によって一方の端部が水晶振動素子１１０の配線パターン１１３に固定されかつ電気的に接続されている。
【００３５】
脚部１２３は、例えば、図３（ａ）に示すように、二つ一対となっており、固定部１２２が延設されている面に対向する基部１２１の面から同一方向に延設されている。このとき、脚部１２３が延設される方向は、固定部１２２が延設される方向と反対方向となっている。
また、脚部１２３は、基部１２１の内部配線（図示せず）を介して固定部１２２と電気的に接続された状態となっている。
従って、脚部１２３は、基部１２１の内部配線と固定部１２２と配線パターン１１３とを介して励振電極１１２と電気的に接続された状態となっている。
【００３６】
鍔部１２４は、例えば、図３（ａ）及び図３（ｂ）に示すように、基部１２１の所定の他の一つの面の縁部に沿って環状に設けられている。
また、鍔部１２４は、例えば、図３（ａ）及び図３（ｂ）に示すように、基部１２１の所定の一つの面から基部１２１の所定の他の一つの面に向かう向きに垂直な向きに凸形状となるように設けられている。
従って、鍔部１２４は、例えば、固定部１２２から脚部１２３に向かう向きに保持具１２０を見た場合、基部１２１の所定の一つの面の縁部に沿って環状に鍔部１２４が設けられた状態となっている。
【００３７】
つまり、保持具１２０は、基部１２１の所定の一つの面から同一方向に二つ一対の固定部が延設されており、基部１２１の所定の一つの面に対向する基部１２１の面から同一方向に二つ一対の脚部１２３が設けられており、脚部１２１が設けられている基部１２１の面の縁部に沿って環状の鍔部１２４が設けられている。
また、保持具１２０は、固定部１２２の端部が水晶振動素子１１０の配線パターン１１３と電気的に接続されており、脚部１２３と水晶振動素子１１０の励振電極１１２とが電気的に接続されている状態となっている。
【００３８】
蓋部材１３０は、例えば、図４（ａ）及び図４（ｂ）に示すように、直方体形状に設けられている。
また、蓋部材１３０は、所定の一つの面に基部収納空間１３２が形成されており、基部収納空間１３２の底面に水晶振動素子収納空間１３１が形成されている。
また、蓋部材１３０は、蓋部材の所定の他の面から水晶振動素子収納空間１３１内側を向く面にかけて貫通孔１３３が形成されている。
【００３９】
基部収納空間１３２は、図４（ａ）及び図４（ｂ）に示すように、蓋部材１３０の所定の一つの面に形成されている。
また、基部収納空間１３２は、図２（ｂ）に示すように、保持具１２０の基部１２１と同形状となっている。このため、基部収納空間１３２に保持具１２０の基部１２１がはめ込まれると、基部１２１が基部収納空間１３２に収納された状態で保持具１２０が蓋部材１３０に固定される。
【００４０】
水晶振動素子収納空間１３１は、図４（ａ）及び図４（ｂ）に示すように、前述した基部収納空間１３２に連なっており、蓋部材１３０の内部に直方体形状に形成されている。
また、水晶振動素子収納空間１３２は、図４（ａ）に示すように、水晶振動素子収納空間１３１内側を向く面のうち基部収納空間１３１が設けられている蓋部材１３０の所定の一つの面に平行な面の大きさが、基部収納空間１３１の開口部の大きさより大きくなっている。
また、水晶振動素子収納空間１３２は、図２（ｂ）に示すように、保持具１２０の固定部１２２及び感応膜Ｒが設けられている水晶振動素子１１０が収納される大きさとなっている。
【００４１】
貫通孔１３３は、例えば、図４（ａ）及び図４（ｂ）に示すように、水晶振動素子収納空間１３３内側を向く面から蓋部材１３０の所定の他の面にかけて複数、形成されている。
また、貫通孔１３３には、図１及び図２（ｂ）に示すように、後述する充填材Ｊが充填されている。
【００４２】
従って、蓋部材１３０は、直方体形状となっている水晶振動素子収納空間１３１が内部に形成されている。
また、蓋部材１３０は、この水晶振動素子収納空間１３１の所定の一つの面から蓋部材１３０の所定の一つの面にかけて直方体形状となっている基部収納空間１３２が形成され、かつ、水晶振動素子収納空間１３１の所定の他の面から蓋部材１３０の所定の他の面にかけて貫通孔１３３が形成されている。
【００４３】
また、蓋部材１３０は、感応膜Ｒが形成されている水晶振動素子が保持されている保持具１２０の固定部１２２を水晶振動素子収納空間１３１内側に収納するように、保持具１２０の基部１２１が基部収納空間１３２の開口部側から水晶振動素子収納空間１３１内側へ向く向きに嵌め込まれると、基部収納空間１３２に基部１２１が収納され保持具１２０が蓋部材１３０に固定される。
このとき、水晶振動素子収納空間１３１内側に感応膜Ｒが形成されている水晶振動素子１１０及び固定部１２４が水晶振動素子収納空間１３１内側を向く面に接触しないように収納されている。つまり、蓋部材１３０の水晶振動素子収納空間１３１内には、励振電極１１２で挟まれている水晶片１１１の一部が振動しているとき、水晶片１１１の振動を阻害しないように水晶振動素子１１０が収納されている。
【００４４】
充填材Ｊは、前述したように、蓋部材１３０の貫通孔１３３に充填されている。
また、充填材Ｊは、分子の大きさに応じて物質を分離することができる分子ふるい材料からなり、例えば、分子の大きさが水分子小さい物質と分子の大きさが水分子以上の物質とに分離することができる。
【００４５】
ここで、分子の大きさは、分子の相対的質量である分子量とする。
【００４６】
また、充填材Ｊは、例えば、分子ふるい炭素が用いられる。
【００４７】
従って、本発明の第一の実施形態に係る微少質量測定用センサ１００は、基部収納空間１３２に保持具１２０の基部１２１が嵌めこまれつつ貫通孔１３３に充填材Ｊが充填されているので、水晶振動素子収納空間１３１内に貫通孔１３３に充填される充填材Ｊの種類によって所定の分子の大きさ以上の物質が流入することを防ぐことができる構造となっている。
例えば、本発明の第一の実施形態に係る微少質量測定用センサは、充填材Ｊによって分子の大きさが水分子より小さい物質と分子の大きさが水分子以上の物質とに分離することができるので、分子の大きさが水分子以上の物質が水晶振動素子収納空間１３１内に流入することを防ぐことができる構造となっている。
【００４８】
また、本発明の第一の実施形態に係る微少質量測定用センサ１００は、脚部１２３側の基部１２１の面の縁部に沿って環状でかつ脚部１２３から固定部１２２に向かう向きに垂直な方向に凸形状となっている鍔部１２４が設けられているので、基部収納空間１３２に基部１２１を嵌め込むことで基部収納空間１３２内に基部１２１を収納させることが容易にできる構造となっている。
【００４９】
このような本発明の第一の実施形態に係る微少質量測定用センサ素子１００によれば、内部に水晶振動素子収納空間１３１を有した蓋部材１３０と保持具１２０とで水晶振動素子１１０が水晶振動素子収納空間１３１内に収納されており、分子の大きさに応じて物質を分離することができる充填材Ｊが蓋部材１３０に設けられている貫通孔１３３に充填されているので、感応膜Ｒが所定の二つの物質に反応する場合であっても、分子の大きさに応じて物質を分離することができる充填材Ｊを通過した気相状態の検体を水晶振動素子収納空間１３１内に注入することができる。
このため、このような本発明の第一の実施形態に係る微少質量測定用センサ素子１００によれば、感応膜Ｒが所定の二つの物質に反応する場合であっても、分子の大きさが小さい方の物質のみを水晶振動素子１１０に設けられている感応膜Ｒに反応させ、分子の大きさが小さい方の物質のみを検出することができる。
【００５０】
また、このような本発明の第一の実施形態に係る微少質量測定用センサ素子によれば、充填材Ｊによって分子の大きさが水分子より小さい物質と分子の大きさが水分子以上の物質とに分離させることができるので、気相状態の検体中に含まれる水分子及び本発明の第一の実施形態に係る微少質量想定用センサ素子１００が設けられている雰囲気中の水分子が水晶振動素子収納空間１３１内に入ることを防ぐことができる。
このため、このような本発明の第一の実施形態に係る微少質量測定用センサ素子１００によれば、感応膜Ｒが水分子及び所定の物質に反応する場合、所定の物質のみを感応膜Ｒと反応させることができ、所定の物質のみを検出することができる。
従って、このような本発明の第一の実施形態に係る微少質量測定用センサ素子１００によれば、水分子が感応膜Ｒと反応することを防ぐことができるので、所定の物質を検出する検出精度及び検出感度を向上させることができる。
【００５１】
また、このような本発明の第一の実施形態に係る微少質量測定用センサ素子によれば、蓋部材に形成された貫通孔１３３に充填材Ｊが充填されているので、感応膜Ｒが所定の二つの物質に反応する場合、従来の微少質量測定センサ素子を用いた微少質量測定センサのように、微少質量測定用センサ素子を容器内に収納させ一方の物質のみが除去された検体が容器内に注入させる必要がなく、微少質量測定用センサ素子を収納する容器が不要となる。
このため、このような本発明の第一の実施形態に係る微少質量測定用センサ素子を用いた微少質量測定用センサは、従来の微少質量測定用センサ素子を用いた微少質量測定用センサと比較して、装置を小型化することができ、生産性を向上させることができる。
【００５２】
（第二の実施形態）
本発明の第二の実施形態に係る微少質量測定用センサ素子は、収着材が蓋部材の貫通孔に充填されている点で本発明の第一の実施形態と異なる。
【００５３】
収着材は、例えば、蓋部材の貫通孔に充填されている。
また、収着材は、所定の物質を吸着又は／及び吸収する収着材料が用いられ、例えば、水分子を吸収する吸水性高分子が用いられる。
また、収着材は、所定の物質を吸着又は／及び吸収した場合、所定の状態にすることで吸着又は／及び吸収した所定の物質を外部に放出することができる性質となっている。例えば、収着材は、水分子が吸収された状態で熱を加えた場合、吸収した水分子を収着材の外部に放出させることができる。
【００５４】
従って、本発明の第二の実施形態に係る微少質量測定用センサは、基部収納空間に保持具の基部が嵌め込まれつつ貫通孔に収着材が充填されているので、所定の二つの物質が感応膜に反応する場合、収着材に一方の物質が吸着又は／及び吸収され水晶振動素子収納空間内に一方の物質が流入することを防ぐことができる構造となっている。
【００５５】
また、このような本発明の第二の実施形態に係る微少質量測定用センサ素子によれば、内部に水晶振動素子収納空間を有した蓋部材と保持具とで水晶振動素子が水晶振動素子収納空間内に収納されており、所定の物質を吸着又は／及び吸収する収着材が蓋部材に設けられている貫通孔に充填されているので、感応膜が所定の二つの物質に反応する場合であっても、一方の物質を収着材に吸着又は／及び吸収させ他方の物質のみを水晶振動素子収納空間内に注入することができる。
このため、このような本発明の第二の実施形態に係る微少質量測定用センサ素子によれば、感応膜が所定の二つの物質に反応する場合であっても、収着材で吸着又は／及び吸収されない他方の物質のみを水晶振動素子に設けられている感応膜に反応させ、収着材で吸着又は／及び吸収さない他方の物質のみを検出することができる。
【００５６】
また、このような本発明の第二の実施形態に係る微少質量測定用センサ素子によれば、内部に水晶振動素子収納空間を有した蓋部材と保持具とで水晶振動素子が水晶振動素子収納空間内に収納されており、水分子を吸収する収着材が蓋部材に設けられている貫通孔に充填されているので、気相状態の検体中に含まれる水分子及び微少質量測定用センサ素子が設けられている雰囲気中の水分子が水晶振動素子収納空間内に入ることを防ぐことができる。
このため、このような本発明の第二の実施形態に係る微少質量測定用センサ素子によれば、感応膜が水分子及び所定の物質に反応する場合、所定の物質のみを感応膜と反応させることができ、所定の物質のみを検出することができる。
従って、このような本発明の第二の実施形態に係る微少質量測定用センサ素子によれば、水分子が感応膜と反応することを防ぐことができるので、所定の物質を検出する検出精度及び検出感度を向上させることができる。
【００５７】
また、このような本発明の第二の実施形態に係る微少質量測定用センサ素子によれば、所定の物質を吸着又は吸収した収着材を所定の状態にすることで外部に放出することができる収着材を用いているので、保持具に保持されている水晶振動素子を交換することで、何度も使いまわすことができる。
【００５８】
また、このような本発明の第二の実施形態に係る微少質量測定用センサ素子によれば、蓋部材に形成された貫通孔に収着剤が充填されているので、感応膜が所定の二つの物質に反応する場合、従来の微少質量測定センサ素子を用いた微少質量測定センサのように、微少質量測定用センサ素子を容器内に収納させ一方の物質のみが除去された検体が容器内に注入させる必要がなく、微少質量測定用センサ素子を収納する容器が不要となる。
このため、このような本発明の第二の実施形態に係る微少質量測定用センサ素子を用いた微少質量測定用センサは、従来の微少質量測定用センサ素子を用いた微少質量測定用センサと比較して、装置を小型化することができ、生産性を向上させることができる。
【００５９】
なお、貫通孔が水晶振動素子収納空間内側を向く面から蓋部材の所定の他の一つの面にかけて形成されている場合について説明しているが、基部収納空間が形成されている蓋部材の所定の一つの面を除く蓋部材の所定の他の面にかけて形成されていれば、例えば、二つ以上の面に設けてもよい。
【００６０】
また、貫通孔が蓋部材の所定の他の一つの面に複数個、形成されている場合について説明しているが、例えば、一つだけ形成してもよい。
【００６１】
また、貫通孔が円柱形状の場合を図示しているが、水晶振動素子収納空間内側を向く面から蓋部材の所定の他の一つの面にかけて形成されていれば、例えば、水晶振動素子収納空間内側を向く面の開口部又は蓋部材の外周面の開口部の形状が矩形形状となっていてもよい。
【００６２】
また、基部収納空間内に基部を嵌め込むことで保持具が蓋部材に固定される場合について説明しているが、例えば、基部収納空間内に基部を収納させ基部収納空間の開口部を接着剤で埋め固定してもよい。
【００６３】
また、蓋部材の材質について特に指定しないが、例えば、フッ素樹脂からなっていてもよい。また、例えば、金属からなっていてもよい。また、例えば、プラスチックからなっていてもよい。
【００６４】
また、水分子の相状態について特に限定していないが、例えば、気体である水蒸気の状態であってもよい。また、たとえば、液体である水滴の状態であってもよい。
【００６５】
また、充填材が分子ふるい炭素からなる場合について説明したが、分子の大きさに応じて物質を分離することができる分子ふるい材料であれば、例えば、メソポーラスシリカであってもよい。また、例えば、ゼオライトであってもよい。
【００６６】
また、収着材が吸水性高分子からなる場合について説明したが、所定の物質を吸着又は／及び吸収する収着材料であれば、例えば、シリカゲルであってもよい。
【符号の説明】
【００６７】
１００  微少質量測定用センサ
１１０  水晶振動素子
１１１  水晶片
１１２  励振電極
１１３  配線パターン
１２０  保持具
１２１  基部
１２２  固定部
１２３  脚部
１２４  鍔部
１３０  蓋部材
１３１  水晶振動素子収納空間
１３２  基部収納空間
１３３  貫通孔
Ｒ  感応膜
Ｊ  充填材
【図１】
0005751954.tif 000002
【図２】
0005751954.tif 000003
【図３】
0005751954.tif 000004
【図４】
0005751954.tif 000005